(57)【特許請求の範囲】
【請求項１】
移動局装置から送信された無線信号を受信する無線信号受信装置と、
無線信号受信装置により受信された前記無線信号の中から、前記移動局装置が対応可能な周波数バンド、コンポーネントキャリア、およびキャリアアグリゲーションのシナリオを示す情報を含む制御データを復号する制御データ処理部と、
前記制御データ処理部により復号された前記制御データを受信し、受信された前記制御データに従って、前記移動局装置へのコンポーネントキャリアの割り当て方針を示す送信帯域隣接度値を算出し、算出された前記送信帯域隣接度値に従って、前記移動局装置が対応可能な前記周波数バンドおよび前記コンポーネントキャリアの中から前記移動局装置に割り当てるコンポーネントキャリアを決定する無線リソース割り当て制御部と、
前記無線リソース割り当て制御部により決定された前記コンポーネントキャリアを示す情報を含む送信信号を生成する送信信号生成部と、
前記送信信号生成部により生成された前記送信信号を前記移動局装置へ送信する無線信号送信装置と
を含む基地局装置。
【請求項２】
前記移動局装置が対応可能な前記コンポーネントキャリアが他の移動局装置に割り当てられている場合に、前記無線リソース割り当て制御部は、前記他の移動局装置に割り当てられた前記コンポーネントキャリアから、前記基地局装置が割り当て可能なコンポーネントキャリアの中で任意の移動局装置に未割り当てのコンポーネントキャリアへ前記他の移動局装置のコンポーネントキャリアの割り当てを変更し、前記コンポーネントキャリアの割り当ての変更により前記他の移動局装置に使用されなくなったコンポーネントキャリアを前記移動局装置に割り当てる、請求項１に記載の基地局装置。
【請求項３】
前記無線信号受信装置が受信した前記無線信号は、前記送信帯域隣接度値を含み、
前記無線リソース割り当て制御部は、前記無線信号に含まれる前記送信帯域隣接度値に従って、前記移動局装置が対応可能な前記周波数バンドおよび前記コンポーネントキャリアの中から前記移動局装置に割り当てるコンポーネントキャリアを決定する、請求項１または２に記載の基地局装置。
【請求項４】
前記無線信号受信装置が受信した前記無線信号に含まれる前記送信帯域隣接度値は、前記移動局装置により算出される、請求項３に記載の基地局装置。
【請求項５】
前記無線信号受信装置が受信した前記無線信号に含まれる前記送信帯域隣接度値は、前記移動局装置および前記基地局装置とは異なる計算処理装置により算出される、請求項３に記載の基地局装置。
【請求項６】
前記無線信号受信装置が受信した前記無線信号は、前記移動局装置が有するコンポーネントキャリアの割り当て希望情報を含み、
前記無線リソース割り当て制御部は、前記送信帯域隣接度値と前記コンポーネントキャリアの割り当て希望情報とに従って、前記移動局装置が対応可能な前記周波数バンドおよび前記コンポーネントキャリアの中から前記移動局装置に割り当てるコンポーネントキャリアを決定する、請求項１〜５の何れか一項に記載の基地局装置。
【請求項７】
前記コンポーネントキャリアの割り当て希望情報は、前記移動局装置が希望するコンポーネントキャリアの割り当て方針を示す情報である、請求項６に記載の基地局装置。
【請求項８】
前記コンポーネントキャリアの割り当て希望情報は、前記移動局装置が前記基地局装置から受信した無線信号の信号レベルに従って前記移動局装置により決定される、請求項６または７に記載の基地局装置。
【請求項９】
移動局装置と基地局装置とを含み、
前記移動局装置は、
前記移動局装置が対応可能なキャリアアグリゲーションのシナリオを示す情報を含む移動局能力情報を記憶する記憶装置と、
前記記憶装置に記憶された移動局能力情報を読み出し、読み出された移動局能力情報に従って、前記移動局装置へのコンポーネントキャリアの割り当て方針を示す送信帯域隣接度値を算出する制御部と、
前記制御部により算出された前記送信帯域隣接度値を含む送信信号を生成する第１の送信信号生成部と、
前記第１の送信信号生成部により生成された送信信号を前記基地局へ送信する第１の無線信号送信装置と
を含み、
前記基地局装置は、
前記移動局装置から送信された前記無線信号を受信する無線信号受信装置と、
無線信号受信装置により受信された前記無線信号の中から、前記移動局装置が対応可能な周波数バンドおよびコンポーネントキャリアと、前記送信帯域隣接度値を含む制御データを復号する制御データ処理部と、
前記制御データ処理部により復号された前記制御データを受信し、受信された前記制御データに含まれる前記送信帯域隣接度値に従って、前記移動局装置が対応可能な前記周波数バンドおよび前記コンポーネントキャリアの中から前記移動局装置に割り当てるコンポーネントキャリアを決定する無線リソース割り当て制御部と、
前記無線リソース割り当て制御部により決定された前記コンポーネントキャリアを示す情報を含む送信信号を生成する第２の送信信号生成部と、
前記第２の送信信号生成部により生成された送信信号を前記移動局装置へ送信する第２の無線信号送信装置と
を含む無線通信システム。
【請求項１０】
前記移動局装置が対応可能な前記コンポーネントキャリアが他の移動局装置に割り当てられている場合に、前記無線リソース割り当て制御部は、前記他の移動局装置に割り当てられた前記コンポーネントキャリアから、前記基地局装置が割り当て可能なコンポーネントキャリアの中で任意の移動局装置に未割り当てのコンポーネントキャリアへ前記他の移動局装置のコンポーネントキャリアの割り当てを変更し、前記コンポーネントキャリアの割り当ての変更により前記他の移動局装置に使用されなくなったコンポーネントキャリアを前記移動局装置に割り当てる、請求項９に記載の無線通信システム。
【請求項１１】
前記移動局装置は、前記基地局装置から受信した無線信号の信号レベルを測定する制御データ処理部を含み、
前記制御部は、前記制御データ処理部により測定された前記無線信号の信号レベルに従って、コンポーネントキャリアの割り当て方針を決定し、
前記第２の送信信号生成部は、前記制御部により決定された前記コンポーネントキャリアの割り当て方針のデータを含む送信信号を生成し、
前記無線リソース割り当て制御部は、前記送信帯域隣接度値と前記コンポーネントキャリアの割り当て方針とに従って、前記移動局装置が対応可能な前記周波数バンドおよび前記コンポーネントキャリアの中から前記移動局装置に割り当てるコンポーネントキャリアを決定する、請求項９または１０に記載の無線通信システム。
【請求項１２】
移動局装置から送信された無線信号を無線信号受信装置が受信し、
前記無線信号受信装置により受信された無線信号の中から、前記移動局装置が対応可能な周波数バンド、コンポーネントキャリア、およびキャリアアグリゲーションのシナリオを示す情報を含む制御データを制御データ処理部が復号し、
無線リソース割り当て制御部が、前記制御データ処理部により復号された前記制御データに従って、前記移動局装置へのコンポーネントキャリアの割り当て方針を示す送信帯域隣接度値を算出し、算出された前記送信帯域隣接度値に従って、前記移動局装置が対応可能な前記周波数バンドおよび前記コンポーネントキャリアの中から前記移動局装置に割り当てるコンポーネントキャリアを決定し、
前記無線リソース割り当て制御部により決定された前記コンポーネントキャリアを示す情報を含む送信信号を送信信号生成部が生成し、
前記送信信号生成部により生成された前記送信信号を無線信号送信部が前記移動局装置へ送信する
処理を含む、基地局装置により実行される無線通信制御方法。
【発明の詳細な説明】
【技術分野】
【０００１】
本発明は、基地局装置、無線通信システム、および無線通信制御方法に関する。
【背景技術】
【０００２】
無線通信技術の分野では、移動局装置と基地局装置との間でより高速でより大容量のデータ通信を可能にするための通信技術が研究および開発されている。【０００３】
例えば、移動体無線通信方式の標準化団体であるThird Generation Partnership Project（３ＧＰＰ）では、第３．９世代の無線通信方式であるLong Term Evolution（ＬＴＥ）が標準化されている。ＬＴＥを用いた無線通信サービスの提供は、一部の通信事業者により既に開始されている。また、３ＧＰＰでは、ＬＴＥと互換性を有する後継の無線通信方式としてＬＴＥ-Advanced（ＬＴＥ−Ａ）の標準化が検討されている。なお、ＬＴＥは、Evolved Universal Terrestrial Radio Access（Ｅ−ＵＴＲＡ）とも称され、ＬＴＥ−Ａは、Advanced Ｅ−ＵＴＲＡとも称される。【０００４】
ＬＴＥ−Ａでは、より高速でより大容量のデータ通信を可能にするために、最大２０ＭＨｚの周波数帯域幅のキャリアを用いた通信が実行されるＬＴＥと比較して、より広い周波数帯域幅を用いた通信が予定されている。【０００５】
具体的には、ＬＴＥ−Ａでは、ＬＴＥで用いられる周波数帯域幅のキャリアをコンポーネントキャリア（Component Carrier、ＣＣ）と定義し、複数のコンポーネントキャリアを同時に用いたより広い周波数帯域幅での通信が行われ得る。複数のコンポーネントキャリアを同時に用いることにより広帯域伝送を実現するこうした技術は、キャリアアグリゲーション（Carrier Aggregation、ＣＡ）と称される。【０００６】
なお、無線パラメータを含む移動局装置から受信した移動局要素キャリア情報に基づいて、基地局装置がその移動局装置に適する無線リソースを割り当てる従来技術がある。【０００７】
また、キャリアアグリゲーションを行うＬＴＥ−Ａシステムにおいて、連続的に帯域を移動局に割り当てる場合に、使用開始する帯域の情報のＶＲＢ（Ｎｓｔａｒｔ）と、使用するＰＲＢの数のＮｌｅｎｇｔｈとを基地局が移動局に通知する従来技術がある。
【先行技術文献】
【特許文献】
【０００８】
【特許文献１】特開２０１１−１８２１０４号公報
【特許文献２】特開２０１０−１７８０２４号公報
【発明の概要】
【発明が解決しようとする課題】
【０００９】
本発明が解決しようとする課題は、接続対象の各移動局装置の通信能力に従った無線リソースの割り当て制御を無線基地局装置が実行できるようにすることである。
【課題を解決するための手段】
【００１０】
実施形態の一側面に従えば、基地局装置は、移動局装置から送信された無線信号を受信する無線信号受信装置と、無線信号受信装置により受信された無線信号の中から、移動局装置が対応可能な周波数バンド、コンポーネントキャリア、およびキャリアアグリゲーションのシナリオを示す情報を含む制御データを復号する制御データ処理部と、制御データ処理部により復号された制御データを受信し、受信された制御データに従って、移動局装置へのコンポーネントキャリアの割り当て方針を示す送信帯域隣接度値を算出し、算出された送信帯域隣接度値に従って、移動局装置が対応可能な周波数バンドおよびコンポーネントキャリアの中から移動局装置に割り当てるコンポーネントキャリアを決定する無線リソース割り当て制御部と、無線リソース割り当て制御部により決定されたコンポーネントキャリアを示す情報を含む送信信号を生成する送信信号生成部と、送信信号生成部により生成された送信信号を移動局装置へ送信する無線信号送信装置とを含む。
【発明の効果】
【００１１】
実施形態に従えば、無線基地局装置は、接続対象の各移動局装置の通信能力に従った無線リソースの割り当て制御を実行することができる。
【図面の簡単な説明】
【００１２】
【図１】キャリアアグリゲーションのシナリオの説明図である。
【図２】実施形態に従った無線通信システムの構成図である。
【図３】第１の実施形態に従った基地局装置の概略的構成図である。
【図４】第１の実施形態に従った基地局装置の例示的なハードウェア構成図である。
【図５】第１の実施形態に従った移動局装置の概略的構成図である。
【図６】第１の実施形態に従った移動局装置の例示的なハードウェア構成図である。
【図７】第１の実施形態に従った無線リソース割り当て制御処理フローの例図である。
【図８】移動局能力情報メッセージの送受信についての説明図である。
【図９】移動局能力メッセージの例図である。
【図１０Ａ】UE-EUTRA-Capabilityの構成の例図である。
【図１０Ｂ】UE-EUTRA-Capabilityの構成の例図である。
【図１１】第１の実施形態に従った送信帯域隣接度値算出処理フローの例図である。
【図１２】送信帯域隣接度値が示すコンポーネントキャリアの割り当て方針の例図である。
【図１３】第１の実施形態に従ったコンポーネントキャリア割り当て処理フローの例図である。
【図１４】第１の実施形態に従ったコンポーネントキャリア再割り当て処理フローの例図である。
【図１５】コンピュータの例示的なハードウェア構成図である。
【図１６】コンポーネントキャリア割り当て希望情報の決定および送信処理の一例の説明図である。
【図１７】第４の実施形態に従った再割り当て判定処理フローの例図である。
【発明を実施するための形態】
【００１３】
以下図面を参照しながら本発明の実施形態を詳細に説明する。なお、以下に説明する各実施形態は、互いに排他的な実施形態と捉えるべきではなく、各実施形態は組み合わせ得ることに留意すべきである。また、以下の各実施形態の処理および処理フローは、例示であり、必要に応じて、他の同様の処理に置換したり、更なる処理を追加したり、或は各処理の順序を入れ替えたりすることが可能であることに留意すべきである。
【００１４】
＜第１の実施形態＞
前述したように、ＬＴＥと互換性を有する後継の無線通信方式として、キャリアアグリゲーションによって広帯域伝送を実現するＬＴＥ−Ａが検討されている。ＬＴＥ−Ａが実用化されると、ＬＴＥに対応した移動局装置とＬＴＥ−Ａに対応した移動局装置とが混在し、これらの移動局装置が同じ基地局装置と通信を行う無線通信システムが過渡的に存在し得る。
【００１５】
そこで、上述のような過渡的な無線通信システムでは、基地局装置は、接続対象の移動局装置がキャリアアグリゲーションを実行し得る装置であるか否かといった移動局装置の通信能力に従って無線リソースの割り当てを制御する必要がある。
【００１６】
また、接続対象の移動局装置がキャリアアグリゲーションを実行し得る装置であったとしても、基地局装置は、接続対象の移動局装置が対応可能なキャリアアグリゲーションのシナリオを考慮して、無線リソースの割り当てを制御する必要がある。図１は、キャリアアグリゲーションのシナリオの説明図である。図１に示すように、キャリアアグリゲーションのシナリオには、例えば、（ａ）同一周波数バンド内の連続したコンポーネントキャリアの割り当て、（ｂ）異なる周波数バンド間でのコンポーネントキャリアの割り当て、および（ｃ）同一周波数バンド内の不連続のコンポーネントキャリアの割り当てが挙げられる。
【００１７】
さらに、接続対象の移動局装置が対応可能な全てのコンポーネントキャリアが他の移動局装置に対して既に割り当てられているケースがあり得る。こうしたケースでは、基地局装置は、接続対象の移動局装置に割り当てるコンポーネントキャリアを確保できるように無線リソースの割り当てを制御する必要がある。
【００１８】
そこで、上述した必要性の少なくとも１つに鑑み、第１の実施形態に従った無線通信システムでは、基地局装置は、キャリアアグリゲーションを実行し得る装置か、および如何なるキャリアアグリゲーションのシナリオに対応できるかといった接続対象の各移動局装置の通信能力に従って無線リソースの割り当て制御を実行する。
【００１９】
図２は、実施形態に従った無線通信システムの構成図である。
図２に示した無線通信システム１は、基地局装置１００、第１の移動局装置２００Ａ、および第２の移動局装置２００Ｂを含む。なお、図２には、２つの移動局装置が示されているが、実施形態の無線通信システム１に含まれる移動局装置の数は、任意の数であってよい。また、以下の説明において第１の移動局装置２００Ａおよび第２の移動局装置２００Ｂを区別しない場合には、移動局装置２００と記載する。
【００２０】
基地局装置１００は、通信エリア内の移動局装置２００からの接続要求を受信すると、接続要求した移動局装置２００が有する通信能力に従って、適切なコンポーネントキャリアを割り当てて、移動局装置２００との通信を実行する。
【００２１】
第１の移動局装置２００Ａおよび第２の移動局装置２００Ｂは、互換性を有する互いに異なる通信方式に従って、基地局装置１００との間で通信を行う装置である。第１の移動局装置２００Ａは、例えば、ＬＴＥ−Ａに対応した移動局装置であり、キャリアアグリゲーションによって、複数のコンポーネントキャリアを用いた広帯域の通信を基地局装置１００との間で実行し得る装置である。第２の移動局装置２００Ｂは、例えば、ＬＴＥに対応した移動局装置であり、１つのコンポーネントキャリアを用いて基地局装置１００との通信を実行する装置である。各移動局装置２００は、キャリアアグリゲーションの可否および対応可能なキャリアアグリゲーションのシナリオに関する情報を移動局能力情報（UE capability information）の一部として保有する。
【００２２】
図３は、第１の実施形態に従った基地局装置の概略的構成図である。
図３に示すように、基地局装置１００は、処理装置１１０、送信信号多重化器１２０、無線信号送信装置１３０、無線信号受信装置１４０、受信信号分離・復調器１５０、記憶装置１６０、アンテナ１７０、および通信インタフェース１８０を含む。また、処理装置１１０は、無線リソース割り当て制御部１１１、ユーザデータ復号部１１２、制御データ処理部１１３、およびダウンリンク信号生成部１１４を含む。記憶装置１６０は、無線リソース管理ファイル１６１、送信帯域隣接度値管理ファイル１６２、および移動局能力情報管理ファイル１６３を含む。
【００２３】
無線信号受信装置１４０は、移動局装置２００から送信されたアップリンク信号をアンテナ１７０を介して受信する。アップリンク信号とは、移動局装置２００から基地局装置１００へ送信される無線信号を指す。
【００２４】
受信信号分離・復調器１５０は、無線信号受信装置１４０により受信されたアップリンク信号を、移動局装置２００が送信に用いたコンポーネントキャリアに従い分離し、分離されたコンポーネントキャリア毎にアップリンク信号を復調する。
【００２５】
ユーザデータ復号部１１２は、受信信号分離・復調器１５０により分離・復調されたアップリンク信号に含まれるユーザデータを復号する。
【００２６】
制御データ処理部１１３は、受信信号分離・復調器１５０により分離・復調されたアップリンク信号に含まれる制御データを復号し、復号された制御データを無線リソース割り当て制御部１１１へ送信する。
【００２７】
制御データ処理部１１３により復号される制御データには、移動局装置２００の移動局能力情報のデータが含まれる。移動局装置２００の移動局能力情報のデータは、記憶装置１６０内の移動局能力情報管理ファイル１６３に記録される。
【００２８】
制御データに含まれる移動局能力情報には、当該移動局装置２００に割り当て可能な周波数バンドおよびコンポーネントキャリアについての情報が含まれる。
【００２９】
また、移動局能力情報には、アップリンク信号およびダウンリンク信号それぞれにおける、当該移動局装置２００が対応可能なキャリアアグリゲーションのシナリオについての情報が含まれる。ダウンリンク信号とは、基地局装置１００から移動局装置２００へ送信される無線信号を指す。また、キャリアアグリゲーションのシナリオについての情報とは、同一周波数バンド内の連続したコンポーネントキャリアの割り当て、異なる周波数バンド間でのコンポーネントキャリアの割り当て、および同一周波数バンド内の不連続のコンポーネントキャリアの割り当てがそれぞれ可能か否かについての情報である。
【００３０】
制御データ処理部１１３により復号される制御データには、ダウンリンク信号に対して移動局装置２００が測定したコンポーネントキャリア毎の無線通信品質のデータが含まれ得る。
【００３１】
制御データ処理部１１３は、移動局装置２００から受信したアップリンク信号から、アップリンク信号についての無線通信品質をコンポーネントキャリア毎に推定する。制御データ処理部１１３は、推定されたアップリンク信号の無線通信品質のデータを無線リソース割り当て制御部１１１へ送信する。
【００３２】
無線リソース割り当て制御部１１１は、基地局装置１００の通信エリア内に存在する接続対象のすべての移動局装置２００に対して、各移動局装置２００の通信能力、コンポーネントキャリア毎の無線通信品質、およびチャネルの変動状況等を考慮して、無線リソースの割り当て制御を実行する。すなわち、無線リソース割り当て制御部１１１は、基地局装置１００から各移動局装置２００へのダウンリンクチャネルおよび各移動局装置２００から基地局装置１００へのアップリンクチャネルをそれぞれ動的に割り当てる。
【００３３】
第１の実施形態では、無線リソース割り当て制御部１１１は、制御データ処理部１１３から受信した移動局能力情報に基づいて、各移動局装置２００の送信帯域隣接度値を算出する。算出される送信帯域隣接度値とは、当該移動局装置２００がキャリアアグリゲーションに対応し得るか否か、および如何なるキャリアアグリゲーションのシナリオに対応し得るかを表す数値である。すなわち、送信帯域隣接度値は、当該移動局装置２００に対するコンポーネントキャリアの割り当て方針を示す値である。
【００３４】
具体的には、無線リソース割り当て制御部１１１は、アップリンク信号において対応可能なキャリアアグリゲーションのシナリオに関する移動局能力情報を用いて、アップリンク信号についての送信帯域隣接度値を算出する。また、無線リソース割り当て制御部１１１は、ダウンリンク信号において対応可能なキャリアアグリゲーションのシナリオに関する移動局能力情報を用いて、ダウンリンク信号についての送信帯域隣接度値を算出する。
【００３５】
無線リソース割り当て制御部１１１は、算出された移動局装置２００毎の送信帯域隣接度値を記憶装置１６０内の送信帯域隣接度値管理ファイル１６２に記憶する。
【００３６】
無線リソース割り当て制御部１１１は、記憶装置１６０内に記憶された無線リソース管理ファイル１６１を読み出す。無線リソース管理ファイル１６１には、基地局装置１００が割り当て可能な周波数バンドおよびコンポーネントキャリアについてのデータ、および各コンポーネントキャリアの移動局装置２００への割り当て状況についてのデータが含まれる。
【００３７】
無線リソース割り当て制御部１１１は、無線リソース管理ファイル１６１内のコンポーネントキャリアの中から、移動局装置２００への割り当て候補となるダウンリンク信号のコンポーネントキャリアを、送信帯域隣接度値に従って抽出する。そして、無線リソース割り当て制御部１１１は、チャネルの変動状況や、コンポーネントキャリア毎のダウンリンク信号の無線通信品質等に従って、抽出された割り当て候補のコンポーネントキャリアの中から移動局装置２００に割り当てるダウンリンク信号のコンポーネントキャリアを決定する。無線リソース割り当て制御部１１１は、コンポーネントキャリアの割り当て決定結果を無線リソース管理ファイル１６１に反映する。
【００３８】
また、無線リソース割り当て制御部１１１は、無線リソース管理ファイル１６１内のコンポーネントキャリアの中から、移動局装置２００への割り当て候補となるアップリンク信号のコンポーネントキャリアを、送信帯域隣接度値に従って抽出する。そして、無線リソース割り当て制御部１１１は、チャネルの変動状況や、コンポーネントキャリア毎のアップリンク信号の無線通信品質等に従って、抽出された割り当て候補のコンポーネントキャリアの中から移動局装置２００に割り当てるアップリンク信号のコンポーネントキャリアを決定する。無線リソース割り当て制御部１１１は、コンポーネントキャリアの割り当て決定結果を無線リソース管理ファイル１６１に反映する。
【００３９】
ダウンリンク信号生成部１１４は、基地局装置１００から移動局装置２００へのダウンリンク信号を生成する。生成されるダウンリンク信号には、無線リソース割り当て制御部１１１により割り当てが決定されたコンポーネントキャリアを示すデータを含む制御信号が含まれ得る。
【００４０】
送信信号多重化器１２０は、ダウンリンク信号生成部１１４により生成されたダウンリンク信号を、無線リソース割り当て制御部１１１により決定されたダウンリンク信号のコンポーネントキャリアに多重化する。
【００４１】
無線信号送信装置１３０は、送信信号多重化器１２０により多重化されたダウンリンク信号をアンテナ１７０を介して移動局装置２００へ送信する。
【００４２】
処理装置１１０は、例えばMobility Management Entity（ＭＭＥ）やServing Gateway（Ｓ−ＧＷ）といった基地局装置１００の上位装置（不図示）との間で、通信インタフェース１８０を介して制御データやユーザデータを送受信する。
【００４３】
図４は、第１の実施形態に従った基地局装置の例示的なハードウェア構成図である。
図３に示した処理装置１１０は、例えば、図４に示した基地局装置３００のCentral Processing Unit（ＣＰＵ）３１０に対応する。送信信号多重化器１２０、無線信号送信装置１３０、無線信号受信装置１４０、および受信信号分離・復調器１５０は、例えばDigital Signal Processor（ＤＳＰ）３２０および増幅器３３０に対応する。記憶装置１６０は、例えば、Random Access Memory（ＲＡＭ）３４０およびRead Only Memory（ＲＯＭ）３５０に対応する。アンテナ１７０は、例えば、アンテナ３６０に対応する。通信インタフェース１８０は、例えば、通信インタフェース３７０に対応する。
【００４４】
図５は、第１の実施形態に従った移動局装置の概略的構成図である。
図５に示すように、移動局装置２００は、処理装置２１０、送信信号多重化器２２０、無線信号送信装置２３０、無線信号受信装置２４０、受信信号分離・復調器２５０、記憶装置２６０、アンテナ２７０、可搬型記録媒体読み取り装置２８０、入力装置２９１、および表示装置２９２を含む。また、処理装置２１０は、制御部２１１、ユーザデータ復号部２１２、制御データ処理部２１３、およびアップリンク信号生成部２１４を含む。記憶装置２６０は、基地局無線リソース管理ファイル２６１および移動局能力情報ファイル２６２を含む。
【００４５】
無線信号受信装置２４０は、基地局装置１００から送信されたダウンリンク信号をアンテナ２７０を介して受信する。
【００４６】
受信信号分離・復調器２５０は、無線信号受信装置２４０により受信されたダウンリンク信号を、基地局装置１００により決定されたコンポーネントキャリアに従い分離し、分離されたコンポーネントキャリア毎にダウンリンク信号を復調する。
【００４７】
ユーザデータ復号部２１２は、受信信号分離・復調器２５０により分離・復調されたダウンリンク信号に含まれるユーザデータを復号する。
【００４８】
制御データ処理部２１３は、受信信号分離・復調器２５０により分離・復調されたダウンリンク信号に含まれる制御データを復号し、復号された制御データを制御部２１１へ送信する。
【００４９】
制御データ処理部２１３により復号される制御データには、アップリンク信号およびダウンリンク信号それぞれに対して基地局装置１００が決定したコンポーネントキャリアを示すデータが含まれ得る。
【００５０】
また、制御データ処理部２１３により復号される制御データには、基地局装置１００が割り当て可能な周波数バンドおよびコンポーネントキャリアについてのデータが含まれ得る。制御データ処理部２１３は、これらのデータを制御部２１１へ送信すると共に記憶装置２６０の基地局無線リソース管理ファイル２６１に記憶する。
【００５１】
さらに、制御データ処理部２１３により復号される制御データには、ダウンリンク信号の無線通信品質を測定するためのパラメータデータが含まれ得る。パラメータデータには、測定対象のコンポーネントキャリアのリスト、および測定結果を基地局装置へ報告する時間についてのデータが含まれる。制御データ処理部２１３は、これらのパラメータデータに従って、ダウンリンク信号の無線通信品質を測定する。
【００５２】
移動局能力情報ファイル２６２には、当該移動局装置２００の移動局能力情報のデータが含まれる。移動局能力情報には、当該移動局装置２００に割り当て可能な周波数バンドおよびコンポーネントキャリアについての情報が含まれる。また、移動局能力情報には、アップリンク信号およびダウンリンク信号それぞれにおける、当該移動局装置２００が対応可能なキャリアアグリゲーションのシナリオについての情報が含まれる。
【００５３】
移動局能力情報のデータは、移動局装置２００の製造時に移動局能力情報ファイル２６２に書き込まれ得る。
【００５４】
また、製造時に書き込まれた移動局能力情報のデータは、移動局装置２００の運用開始後に書き換えられ得る。例えば、制御部２１１は、フラッシュメモリ等の可搬型記録媒体に記録された移動局能力情報のデータを可搬型記録媒体読み取り装置２８０を介して読み出す。制御部２１１は、移動局能力情報ファイル２６２内のデータを、読み出された移動局能力情報のデータに書き換える。
【００５５】
制御部２１１は、制御データ処理部２１３から受信した制御データに従って、基地局装置１００により決定されたコンポーネントキャリアにアップリンク信号を多重化するように送信信号多重化器２２０の動作を制御する。また、制御部２１１は、制御データ処理部２１３から受信した制御データに従って、基地局装置１００から受信したダウンリンク信号を分離・復調するように受信信号分離・復調器２５０の動作を制御する。
【００５６】
アップリンク信号生成部２１４は、移動局装置２００から基地局装置１００へのアップリンク信号を生成する。生成されるアップリンク信号には、移動局能力情報のデータが含まれ得る。また、生成される送信信号には、制御データ処理部２１３により測定されたダウンリンク信号の無線通信品質のデータが含まれ得る。
【００５７】
送信信号多重化器２２０は、制御部２１１による制御に従って、アップリンク信号生成部２１４により生成されたアップリンク信号を、基地局装置１００により決定されたコンポーネントキャリアに多重化する。
【００５８】
無線信号送信装置２３０は、送信信号多重化器２２０により多重化されたアップリンク信号をアンテナ２７０を介して基地局装置１００へ送信する。
【００５９】
入力装置２９１は、キーボード、タッチパッド、およびマウスといった、利用者が移動局装置２００に対する命令を入力するための装置である。表示装置２９２は、液晶ディスプレイといった、処理装置２１０の処理結果を表示する装置である。
【００６０】
図６は、第１の実施形態に従った移動局装置の例示的なハードウェア構成図である。
図５に示した処理装置２１０は、例えば、図６に示した移動局装置４００のＣＰＵ４１０に対応する。送信信号多重化器２２０、無線信号送信装置２３０、無線信号受信装置２４０、および受信信号分離・復調器２５０は、例えば、ＤＳＰ４２０および増幅器４３０に対応する。記憶装置２６０は、例えば、ＲＡＭ４４０およびＲＯＭ４５０に対応する。アンテナ２７０は、アンテナ４６０に対応する。可搬型記録媒体読み取り装置２８０は、例えば、可搬型記録媒体読み取り装置４７０に対応する。入力装置２９１は、例えば、入力装置４８１に対応する。表示装置２９２は、例えば、表示装置４８２に対応する。
【００６１】
無線通信システム１において、移動局装置２００との通信に用いられるコンポーネントキャリアの割り当てを基地局装置１００が制御する方法の一例を説明する。
【００６２】
図７は、第１の実施形態に従った無線リソース割り当て制御処理フローの例図である。
無線リソース割り当て制御処理が開始されると（ステップＳ１０１）、無線リソース割り当て制御部１１１は、基地局装置１００が接続対象とするｎ個（ｎは１以上の任意の整数）の移動局装置２００それぞれに対して、ステップＳ１０２〜ステップＳ１０９の処理を実行する。
【００６３】
ステップＳ１０３において、無線リソース割り当て制御部１１１は、移動局装置２００に対して割り当て可能なプライマリコンポーネントキャリア（Primary Component Carrier、ＰＣＣ）があるか否かを判定する。プライマリコンポーネントキャリアとは、基地局装置１００と当該移動局装置２００との間の通信に用いられるメインのコンポーネントキャリアである。無線リソース制御（Radio Resource Control）コネクションは、プライマリコンポーネントキャリアに対して確立される。
【００６４】
ステップＳ１０３における処理の一例を説明する。
図８は、移動局能力情報メッセージの送受信についての説明図である。図８に示すように、無線リソース制御コネクションにおいて、基地局装置１００は、移動局能力情報要求（User Equipment (UE) Capability Enquiry）メッセージＭ１０１を移動局装置２００へ送信する。移動局能力情報要求メッセージを受信した移動局装置２００は、移動局能力情報（UE capability Information）メッセージＭ１０２を基地局装置１００へ送信する。
【００６５】
図９は、移動局能力メッセージの例図である。図９に示した移動局能力メッセージの一例では、移動局能力情報の構造体であるUE Capability Information-r8は、図９に示すようなUE-Capability RAT-Container Listに示される。ＬＴＥ（Ｅ−ＵＴＲＡ）においては、UE-Capability RAT-Container Listは、UE-EUTRA-Capabilityにより定義される。
【００６６】
図１０Ａおよび図１０Ｂは、UE-EUTRA-Capabilityの構成の例図である。図１０Ａに示すように、UE-EUTRA-Capabilityには、移動局装置の無線アクセス能力パラメータの一部である物理層パラメータ（phyLayerParameters）および無線周波数パラメータ（rf-Parameters）が含まれる。
【００６７】
図１０Ａに示すように、物理層パラメータには、crossCarrierScheduling-r10、simultaneousPUCCH-PUSCH-r10、multiClusterPUSCH-WithinCC-r10、およびnonContiguousUL-RA-WithinCC-List-r10が含まれる。crossCarrierScheduling-r10は、移動局装置がクロスキャリアスケジューリングをサポートするか否かを定義する。simultaneousPUCCH-PUSCH-r10は、移動局装置がPhysical Uplink Shared Channel（ＰＵＳＣＨ）およびPhysical Uplink Control Channel（ＰＵＣＣＨ）の同時送信をサポートするか否かを定義する。また、multiClusterPUSCH-WithinCC-r10は、１コンポーネントキャリア内でマルチクラスタＰＵＳＣＨをサポートするか否かを定義する。nonContiguousUL-RA-WithinCC-List-r10は、移動局装置の無線周波数が１コンポーネントキャリア内で、非連続の移動局リソース割り当てをサポートするか否かを定義する。
【００６８】
図１０Ｂに示すように、周波数パラメータには、移動局装置がサポートするキャリアアグリゲーションおよびMultiple-Input and Multiple-Output（ＭＩＭＯ）の能力を定義するsupportedBandCombinationが含まれる。supportedBandCombinationには、各移動局装置の対応可能な最大コンポーネントキャリア数およびリソースブロック数が示されるCA-BandwidthClass-r10が含まれる。
【００６９】
無線リソース割り当て制御部１１１は、移動局能力情報のデータを制御データ処理部１１３から受信する。無線リソース割り当て制御部１１１は、受信された移動局能力情報から、当該移動局装置２００が対応可能な周波数バンドおよびコンポーネントキャリアについてのデータを取得する。
【００７０】
また、無線リソース割り当て制御部１１１は、基地局装置１００が割り当て可能な周波数バンドのコンポーネントキャリアの中で、当該移動局装置２００に未割り当てのコンポーネントキャリアを無線リソース管理ファイル１６１から抽出する。
【００７１】
そして、無線リソース割り当て制御部１１１は、当該移動局装置２００に未割り当てのコンポーネントキャリアの中で、当該移動局装置２００が対応可能なコンポーネントキャリアが存在するか否かを判定する（ステップＳ１０３）。
【００７２】
ステップＳ１０３において当該移動局装置２００に割り当て可能なプライマリコンポーネントキャリアがないと判定される場合（ステップＳ１０３で“ＮＯ”）、無線リソース割り当て制御部１１１は、ステップＳ１０４の処理に進む。
【００７３】
ステップＳ１０４において、無線リソース割り当て制御部１１１は、プライマリコンポーネントキャリアを割り当てできない移動局装置（割り当て不可移動局装置）として当該移動局装置２００を記憶する。また、無線リソース割り当て制御部１１１は、０からカウントを開始した割り当て不可移動局装置数をインクリメントする。そして、無線リソース割り当て制御部１１１は、当該移動局装置２００に対するステップＳ１０２〜Ｓ１０９の処理を終了し、次の移動局装置２００に対してステップＳ１０２〜Ｓ１０９の処理を行う。
【００７４】
ステップＳ１０３において当該移動局装置２００に割り当て可能なプライマリコンポーネントキャリアがあると判定される場合（ステップＳ１０３で“ＹＥＳ”）、無線リソース割り当て制御部１１１は、ステップＳ１０５の処理に進む。ここで、割り当て可能なプライマリコンポーネントキャリアとは、例えば、キャリアのリソースに空きがある等のコンポーネントキャリアを指す。
【００７５】
ステップＳ１０５において、無線リソース割り当て制御部１１１は、想定されるチャネルの変動状況やロードバランス等を考慮して、当該移動局装置２００に割り当てるプライマリコンポーネントキャリアを決定する。
【００７６】
なお、プライマリコンポーネントキャリアに確立された無線リソース制御コネクションにおいて、基地局装置１００から移動局装置２００へ送信される無線リソース制御再構成（RRC Reconfiguration）メッセージには、測定構成（Measurement configuration）メッセージが含まれ得る。測定構成メッセージには、測定対象のコンポーネントキャリア周波数を示す測定対象（measurement object）リスト、測定結果を基地局装置１００へ報告する時間を示す報告構成（reporting configurations）が含まれる。また、無線リソース制御再構成メッセージには、基地局装置１００が割り当て可能なコンポーネントキャリアを低周波数バンドから昇順で番号付けされたリストが含まれる。これらのメッセージに含まれるデータは、これらのメッセージを基地局装置１００から受信した移動局装置２００の記憶装置２６０に記憶される。
【００７７】
ステップＳ１０６において、無線リソース割り当て制御部１１１は、０からカウントを開始したPCC割当て移動局装置数をインクリメントする。PCC割当て移動局装置は、プライマリコンポーネントキャリアが割り当てられた移動局装置２００の数を表す。
【００７８】
ステップＳ１０７では、無線リソース割り当て制御部１１１は、移動局装置２００から受信した移動局能力情報に基づいて、送信帯域隣接度値算出処理を実行する。
【００７９】
図１１は、第１の実施形態に従った送信帯域隣接度値算出処理フローの例図である。
送信帯域隣接度値算出処理が開始されると（ステップＳ２０１）、ステップＳ２０２において、無線リソース割り当て制御部１１１は、当該移動局装置２００の送信帯域隣接度値を算出済みであるか否かを送信帯域隣接度値管理ファイル１６２を参照して判定する。
【００８０】
当該移動局装置２００の送信帯域隣接度値を算出済みであると判定される場合（ステップＳ２０２で“ＹＥＳ”）、無線リソース割り当て制御部１１１は、当該移動局装置２００に対する送信帯域隣接度値算出処理を終了する（ステップＳ２０７）。
【００８１】
当該移動局装置２００の送信帯域隣接度値を未算出であると判定される場合（ステップＳ２０２で“ＮＯ”）、無線リソース割り当て制御部１１１は、ステップＳ２０３の処理に進む。
【００８２】
ステップＳ２０３において、無線リソース割り当て制御部１１１は、送信帯域隣接度値の初期値としてキャリアアグリゲーションの実行不可を示す値を設定する。図１２を参照しながら後述するように、例えば、無線リソース割り当て制御部１１１は、送信帯域隣接度値の初期値として、３ビットで構成される送信帯域隣接度値の各ビットに０を設定する。
【００８３】
ステップＳ２０４において、無線リソース割り当て制御部１１１は、当該移動局装置２００がキャリアアグリゲーションに対応した装置（例えば、ＬＴＥ−Ａに対応した装置）であるか否かを移動局能力情報を参照して判定する。
【００８４】
当該移動局装置２００がキャリアアグリゲーションに未対応の装置であると判定される場合（ステップＳ２０４で“ＮＯ”）、無線リソース割り当て制御部１１１は、当該移動局装置２００に対する送信帯域隣接度値算出処理を終了する（ステップＳ２０７）。
【００８５】
当該移動局装置２００がキャリアアグリゲーションに対応した装置であると判定される場合（ステップＳ２０４で“ＹＥＳ”）、無線リソース割り当て制御部１１１は、ステップＳ２０５の処理に進む。ステップＳ２０５において、無線リソース割り当て制御部１１１は、当該移動局装置２００のバッテリの供給電力が複数のコンポーネントキャリアを用いた通信の実行に十分であるか否かを判定する。
【００８６】
バッテリの供給電力が複数のコンポーネントキャリアを用いた通信の実行に不十分であると判定される場合（ステップＳ２０５で“ＮＯ”）、無線リソース割り当て制御部１１１は、当該移動局装置２００に対する送信帯域隣接度値算出処理を終了する（ステップＳ２０７）。
【００８７】
当該移動局装置２００のバッテリの供給電力が複数のコンポーネントキャリアを用いた通信の実行に十分であると判定される場合（ステップＳ２０５で“ＹＥＳ”）、無線リソース割り当て制御部１１１は、ステップＳ２０６の処理に進む。
【００８８】
ステップＳ２０６において、無線リソース割り当て制御部１１１は、移動局装置２００の送信帯域隣接度値を移動局能力情報を参照して算出する。すなわち、無線リソース割り当て制御部１１１は、移動局能力情報データに含まれる、当該移動局装置２００が対応可能なキャリアアグリゲーションのシナリオを示すデータを用いて送信帯域隣接度値を算出する。移動局装置２００が対応可能なキャリアアグリゲーションのシナリオを示すデータには、同一周波数バンド内の連続したコンポーネントキャリアの割り当て、異なる周波数バンド間でのコンポーネントキャリアの割り当て、および同一周波数バンド内の不連続のコンポーネントキャリアの割り当てがそれぞれ可能か否かを示すデータが含まれる。
【００８９】
図１２は、送信帯域隣接度値が示すコンポーネントキャリアの割り当て方針の例図である。
【００９０】
図１２に示した一例では、無線リソース割り当て制御部１１１は、移動局装置２００が対応可能なキャリアアグリゲーションのシナリオを示すデータを用いて、隣接度データＡ、Ｂ、およびＣの３ビットで構成される送信帯域隣接度値Ｘ（Ｘは、０以上の整数）を算出する。
【００９１】
１ビット目の隣接度データＡは、同一周波数バンド内の連続したコンポーネントキャリアの割り当ての可否を示す。同一周波数バンド内の連続したコンポーネントキャリアの割り当てが可である場合には、無線リソース割り当て制御部１１１は、隣接度データＡに１を設定する。同一周波数バンド内の連続したコンポーネントキャリアの割り当てが不可である場合には、無線リソース割り当て制御部１１１は、隣接度データＡに０を設定する。
【００９２】
２ビット目の隣接度データＢは、異なる周波数バンド間でのコンポーネントキャリアの割り当ての可否を示す。異なる周波数バンド間でのコンポーネントキャリアの割り当てが可である場合には、無線リソース割り当て制御部１１１は、隣接度データＢに１を設定する。異なる周波数バンド間でのコンポーネントキャリアの割り当てが不可である場合には、無線リソース割り当て制御部１１１は、隣接度データＢに０を設定する。
【００９３】
３ビット目の隣接度データＣは、同一周波数バンド内の不連続のコンポーネントキャリアの割り当ての可否を示す。同一周波数バンド内の不連続のコンポーネントキャリアの割り当てが可である場合には、無線リソース割り当て制御部１１１は、隣接度データＣに１を設定する。同一周波数バンド内の不連続のコンポーネントキャリアの割り当てが不可である場合には、無線リソース割り当て制御部１１１は、隣接度データＣに０を設定する。
【００９４】
このような３ビットの値の設定によって、図１２に示すような８種類に分類されるコンポーネントキャリアの割り当て方針を示す送信帯域隣接度値Ｘが算出される。前述したように、送信帯域隣接度値Ｘの初期値には、キャリアアグリゲーションの実行不可を示す送信帯域隣接度値０（０００）が設定される。
【００９５】
無線リソース割り当て制御部１１１は、ステップＳ２０６において送信帯域隣接度値を算出すると、当該移動局装置２００に対する一連の送信帯域隣接度値の算出処理を終了する（ステップＳ２０７）。
【００９６】
図７のステップＳ１０７での送信帯域隣接度値算出処理が終了すると、無線リソース割り当て制御部１１１は、算出された送信帯域隣接度値を送信帯域隣接度値管理ファイル１６２に記録する。
【００９７】
図７のステップＳ１０８では、無線リソース割り当て制御部１１１は、ステップＳ１０５で割り当てられたコンポーネントキャリアを用いて、リソースブロックの割り当て処理を実施する。
【００９８】
基地局装置１００が接続対象とするｎ個の移動局装置２００それぞれに対して、ステップＳ１０２〜ステップＳ１０９の処理が実行されると、無線リソース割り当て制御部１１１は、プライマリコンポーネントキャリアが割り当てられたｍ個（ｍは１以上の任意の整数）の移動局装置（PCC割当て移動局装置）２００それぞれに対して、ステップＳ１１０〜ステップＳ１１３の処理を実行する。
【００９９】
ステップＳ１１１において、無線リソース割り当て制御部１１１は、移動局装置２００に対するコンポーネントキャリア割り当て処理を実行する。
【０１００】
図１３は、第１の実施形態に従ったコンポーネントキャリア割り当て処理フローの例図である。
【０１０１】
コンポーネントキャリア割り当て処理が開始されると（ステップＳ３０１）、ステップＳ３０２において、無線リソース割り当て制御部１１１は、当該移動局装置２００の送信帯域隣接度値が０より大きいか否かを判定する（ステップＳ３０２）。すなわち、無線リソース割り当て制御部１１１は、当該移動局装置２００に対してキャリアアグリゲーションが実行か否かを判定する。
【０１０２】
当該移動局装置２００に対するキャリアアグリゲーションが実行不可であると判定される場合（ステップＳ３０２で“ＮＯ”）、無線リソース割り当て制御部１１１は、当該移動局装置２００に対するコンポーネントキャリア割り当て処理を終了する（ステップＳ３１２）。
【０１０３】
当該移動局装置２００に対するキャリアアグリゲーションが実行可能であると判定される場合（ステップＳ３０２で“ＹＥＳ”）、無線リソース割り当て制御部１１１は、送信帯域隣接度値の隣接度データＢの値が１であるか否かを判定する（ステップＳ３０３）。すなわち、無線リソース割り当て制御部１１１は、割り当て済みのプライマリコンポーネントキャリアとは異なる周波数バンドに存在するコンポーネントキャリアの割り当てが当該移動局装置２００に対して可能か否かを判定する。
【０１０４】
プライマリコンポーネントキャリアとは異なる周波数バンドのコンポーネントキャリアの割り当てが不可であると判定される場合（ステップＳ３０３で“ＮＯ”）、無線リソース割り当て制御部１１１は、ステップＳ３０６の処理に進む。
【０１０５】
一方、プライマリコンポーネントキャリアとは異なる周波数バンドのコンポーネントキャリアの割り当てが可能であると判定される場合（ステップＳ３０３で“ＹＥＳ”）、無線リソース割り当て制御部１１１は、ステップＳ３０４の処理に進む。
【０１０６】
ステップＳ３０４において、無線リソース割り当て制御部１１１は、無線リソース管理ファイル１６１を参照して、セカンダリコンポーネントキャリア（Secondary Component Carrier、ＳＣＣ）の候補となるコンポーネントキャリアを抽出する。すなわち、無線リソース割り当て制御部１１１は、任意の移動局装置２００に未割り当てのコンポーネントキャリアの中から、割り当て済みのプライマリコンポーネントキャリアとの組み合わせがステップＳ３０３での判定条件を満足するコンポーネントキャリアを抽出する。セカンダリコンポーネントキャリアとは、プライマリコンポーネントキャリアに加えてキャリアアグリゲーションにより移動局装置２００に割り当てられるコンポーネントキャリアである。
【０１０７】
ステップＳ３０４においてコンポーネントキャリアが抽出され、セカンダリコンポーネントキャリアの割り当てが可能である場合（ステップＳ３０５で“ＹＥＳ”）、無線リソース割り当て制御部１１１は、ステップＳ３１１での割り当て実行処理に進む。
【０１０８】
一方、ステップＳ３０４においてコンポーネントキャリアが抽出されず、セカンダリコンポーネントキャリアの割り当てが不可である場合（ステップＳ３０５で“ＮＯ”）、無線リソース割り当て制御部１１１は、ステップＳ３０６の処理に進む。
【０１０９】
ステップＳ３０６において、無線リソース割り当て制御部１１１は、送信帯域隣接度値の隣接度データＣの値が１であるか否かを判定する。すなわち、無線リソース割り当て制御部１１１は、割り当て済みのプライマリコンポーネントキャリアと同一周波数バンドに属する不連続のコンポーネントキャリアの割り当てが当該移動局装置２００に対して可能か否かを判定する。
【０１１０】
プライマリコンポーネントキャリアと同一周波数バンドに属する不連続のコンポーネントキャリアの割り当てが不可であると判定される場合（ステップＳ３０６で“ＮＯ”）、無線リソース割り当て制御部１１１は、ステップＳ３０９の処理に進む。
【０１１１】
一方、プライマリコンポーネントキャリアと同一周波数バンドに属する不連続のコンポーネントキャリアの割り当てが可能であると判定される場合（ステップＳ３０６で“ＹＥＳ”）、無線リソース割り当て制御部１１１は、ステップＳ３０７の処理に進む。
【０１１２】
ステップＳ３０７において、無線リソース割り当て制御部１１１は、無線リソース管理ファイル１６１を参照して、任意の移動局装置２００に未割り当てのコンポーネントキャリアの中から、割り当て済みのプライマリコンポーネントキャリアとの組み合わせがステップＳ３０６での判定条件を満足するコンポーネントキャリアをセカンダリコンポーネントキャリアとして抽出する。
【０１１３】
ステップＳ３０７でコンポーネントキャリアが抽出され、セカンダリコンポーネントキャリアの割り当てが可能である場合（ステップＳ３０８で“ＹＥＳ”）、無線リソース割り当て制御部１１１は、ステップＳ３１１での割り当て実行処理に進む。
【０１１４】
一方、ステップＳ３０７でコンポーネントキャリアが抽出されず、セカンダリコンポーネントキャリアの割り当てが不可である場合（ステップＳ３０８で“ＮＯ”）、無線リソース割り当て制御部１１１は、ステップＳ３０９の処理に進む。
【０１１５】
ステップＳ３０９において、無線リソース割り当て制御部１１１は、無線リソース管理ファイル１６１を参照して、セカンダリコンポーネントキャリアの候補となるコンポーネントキャリアを抽出する。すなわち、無線リソース割り当て制御部１１１は、任意の移動局装置２００に未割り当てのコンポーネントキャリアの中から、割り当て済みのプライマリコンポーネントキャリアと連続する同一周波数バンド内のコンポーネントキャリアを抽出する。
【０１１６】
ステップＳ３０９でコンポーネントキャリアが抽出され、セカンダリコンポーネントキャリアの割り当てが可能である場合（ステップＳ３１０で“ＹＥＳ”）、無線リソース割り当て制御部１１１は、ステップＳ３１１での割り当て実行処理に進む。
【０１１７】
ステップＳ３１１では、無線リソース割り当て制御部１１１は、想定されるチャネルの変動状況やロードバランス等を考慮して、抽出されたセカンダリコンポーネントキャリアの候補の中から、プライマリコンポーネントキャリアとの組み合わせが最適なセカンダリコンポーネントキャリアを決定する。そして、無線リソース割り当て制御部１１１は、図１３に示した一連のコンポーネントキャリア割り当て処理を終了する。
【０１１８】
一方、ステップＳ３０９でコンポーネントキャリアが抽出されず、セカンダリコンポーネントキャリアの割り当てが不可である場合（ステップＳ３１０で“ＮＯ”）、無線リソース割り当て制御部１１１は、図１３に示した一連のコンポーネントキャリア割り当て処理を終了する。すなわち、無線リソース割り当て制御部１１１は、当該移動局装置２００にセカンダリコンポーネントキャリアを割り当てずに、図１３に示した一連の処理を終了する。
【０１１９】
以上の説明から明らかなように、実施形態に従った送信帯域隣接度値を用いれば、基地局装置が割り当て可能な周波数バンドおよびコンポーネントキャリアの中から、移動局装置に割り当て可能なコンポーネントキャリアの組み合わせを効率的に抽出できる。従って、実施形態に従った送信帯域隣接度値を用いれば、移動局装置に割り当てるコンポーネントキャリアの割り当てを迅速かつ効率的に決定できる。
【０１２０】
図７のステップＳ１１２では、無線リソース割り当て制御部１１１は、ステップＳ１１１で割り当てられたコンポーネントキャリアを用いて、リソースブロックの割り当て処理を実施する。
【０１２１】
PCC割当て移動局装置であるｍ個の移動局装置２００それぞれに対して、ステップＳ１１０〜ステップＳ１１３の処理が実行されると、無線リソース割り当て制御部１１１は、ステップＳ１１４でのコンポーネントキャリア再割り当て処理に進む。
【０１２２】
図１４は、第１の実施形態に従ったコンポーネントキャリア再割り当て処理フローの例図である。
【０１２３】
コンポーネントキャリア再割り当て処理が開始されると（ステップＳ４０１）、無線リソース割り当て制御部１１１は、ステップＳ１０３でプライマリコンポーネントキャリアの割り当て不可として記録された移動局装置２００それぞれに対してステップＳ４０２〜Ｓ４０９の処理を実行する。以下の説明において、ステップＳ１０３でプライマリコンポーネントキャリアの割り当て不可として記録された移動局装置２００を割り当て不可移動局装置２００と便宜的に呼ぶ。
【０１２４】
ステップＳ４０３において、無線リソース割り当て制御部１１１は、当該割り当て不可移動局装置２００が対応可能なコンポーネントキャリアがセコンダリコンポーネントキャリアとして割り当てられている移動局装置２００が存在するか否かを判定する。以下の説明において、割り当て不可移動局装置２００が対応可能なコンポーネントキャリアがセコンダリコンポーネントキャリアとして割り当てられている移動局装置２００を割り当て済み移動局装置２００と便宜的に呼ぶ。
【０１２５】
ステップＳ４０３で割り当て済み移動局装置２００が存在しないと判定される場合（ステップＳ４０３で“ＮＯ”）、無線リソース割り当て制御部１１１は、ステップＳ４０９の処理に進む。そして、無線リソース割り当て制御部１１１は、コンポーネントキャリアを割り当てずに当該割り当て不可移動局装置２００に対するステップＳ４０２〜Ｓ４０９の処理を終了する。
【０１２６】
ステップＳ４０３で割り当て済み移動局装置２００が存在すると判定される場合（ステップＳ４０３で“ＹＥＳ”）、無線リソース割り当て制御部１１１は、ステップＳ４０４の処理に進む。
【０１２７】
ステップＳ４０４〜Ｓ４０６では、当該割り当て不可移動局装置２００が対応可能なコンポーネントキャリアがセコンダリコンポーネントキャリアとして割り当てられている割り当て済み移動局装置２００それぞれに対して処理が実行される。
【０１２８】
ステップＳ４０５において、無線リソース割り当て制御部１１１は、割り当て済み移動局装置２００に対して割り当て済みのセコンダリコンポーネントキャリアを別のコンポーネントキャリアへ変更可能か否かを判定する。
【０１２９】
具体的には、無線リソース割り当て制御部１１１は、基地局装置１００が割り当て可能な周波数バンドのコンポーネントキャリアの中で、任意の移動局装置２００に未割り当てのコンポーネントキャリアを無線リソース管理ファイル１６１から抽出する。また、無線リソース割り当て制御部１１１は、割り当て済み移動局装置２００が対応可能な周波数バンドのコンポーネントキャリアを移動局能力情報管理ファイル１６３を参照して取得する。そして、無線リソース割り当て制御部１１１は、抽出された未割り当てのコンポーネントキャリアの中で、割り当て済み移動局装置２００が対応可能なコンポーネントキャリアが存在するか否かを判定する。
【０１３０】
ステップＳ４０５において割り当て済み移動局装置２００が対応可能なコンポーネントキャリアが存在しないと判定される場合（ステップＳ４０５で“ＮＯ”）、無線リソース割り当て制御部１１１は、ステップＳ４０６の処理に進む。
【０１３１】
ステップＳ４０６において、無線リソース割り当て制御部１１１は、当該割り当て済み移動局装置２００に対する処理を終了する。そして、無線リソース割り当て制御部１１１は、ステップＳ４０４の処理に戻って、別の割り当て済み移動局装置２００に対するステップＳ４０５の処理を実行する。
【０１３２】
ステップＳ４０５において割り当て済み移動局装置２００が対応可能なコンポーネントキャリアが存在すると判定される場合（ステップＳ４０５で“ＹＥＳ”）、無線リソース割り当て制御部１１１は、ステップＳ４０７の処理に進む。
【０１３３】
ステップＳ４０７において、無線リソース割り当て制御部１１１は、当該割り当て済み移動局装置２００のセコンダリコンポーネントキャリアを再割り当てする。すなわち、無線リソース割り当て制御部１１１は、当該割り当て済み移動局装置２００のセコンダリコンポーネントキャリアを、ステップＳ４０５で抽出された当該割り当て済み移動局装置２００が対応可能な未割り当てのコンポーネントキャリアに変更する。
【０１３４】
ステップＳ４０８において、無線リソース割り当て制御部１１１は、ステップＳ４０７での再割り当て処理により未使用となったコンポーネントキャリアを割り当て不可移動局装置２００のプライマリコンポーネントキャリアとして割り当てる。
【０１３５】
ステップＳ４０２〜Ｓ４０９の処理がすべての割り当て不可移動局装置２００に対して実行されると、無線リソース割り当て制御部１１１は、図１４に示した一連のコンポーネントキャリア再割り当て処理を終了する（ステップＳ４１０）。
【０１３６】
図７のステップＳ１１４でのコンポーネントキャリア再割り当て処理が終了すると、ステップＳ１１５において、無線リソース割り当て制御部１１１は、ステップＳ１１４で割り当てられたコンポーネントキャリアを用いて、リソースブロックの割り当て処理を実施する。
【０１３７】
図７のステップＳ１１５でのリソースブロック割当て処理が終了すると、無線リソース割り当て制御部１１１は、図７に示した一連の無線リソース割り当て制御処理を終了する（ステップＳ１１６）。
【０１３８】
図７〜図１４を参照しながら前述した一連の無線リソース割り当て制御処理は、所定の時間周期で繰り返し実行され得る。一連の無線リソース割り当て制御処理が繰り返し実行される場合には、プライマリコンポーネントキャリアを既に割り当てられた移動局装置２００に対するステップＳ１０３〜ステップＳ１０５の処理は、スキップされる。また、送信帯域隣接度値を算出済みの移動局装置２００に対するステップＳ１０７での送信帯域隣接度値算出処理は、スキップされる。ステップＳ１１１でのコンポーネントキャリア割り当て処理では、コンポーネントキャリア毎の無線通信品質も考慮してセカンダリコンポーネントキャリアが決定され得る。
【０１３９】
このように、前述した一連の無線リソース割り当て制御処理が繰り返し実行されれば、基地局装置１００が割り当て可能な周波数バンドのコンポーネントキャリアは、各移動局装置２００の通信能力に応じて最適に割り当てられるように制御され得る。
【０１４０】
以上の説明のように、第１の実施形態に従った無線通信システムによれば、基地局装置は、接続対象の移動局装置がキャリアアグリゲーションを実行し得る装置であるか否かといった各移動局装置の通信能力に従った無線リソースの割り当て制御を実行できる。
【０１４１】
また、第１の実施形態に従った無線通信システムによれば、基地局装置は、接続対象の各移動局装置が対応可能なキャリアアグリゲーションのシナリオを考慮して、複数のコンポーネントキャリアの割り当て制御を実行できる。
【０１４２】
さらに、第１の実施形態に従った無線通信システムによれば、基地局装置は、他の移動局装置に対するコンポーネントキャリアの再割り当て処理を実行することで、コンポーネントキャリアが未割り当ての移動局装置への割り当て制御を実行できる。
【０１４３】
＜第２の実施形態＞
図７〜図１４を参照しながら前述したように、第１の実施形態では、基地局装置１００が各移動局装置２００の送信帯域隣接度値を算出する。
【０１４４】
これに対して、送信帯域隣接度値を各移動局装置２００が算出するように構成することも可能である。
【０１４５】
第２の実施形態では、移動局装置２００の制御部２１１は、記憶装置２６０内の移動局能力情報ファイル２６２から、移動局装置２００の移動局能力情報のデータを読み出す。そして、制御部２１１は、図１１のステップＳ２０６と同様の処理によって、図１２に示すような８種類に分類されるコンポーネントキャリアの割り当て方針を示す送信帯域隣接度値を算出する。
【０１４６】
例えば、図８に示したように、移動局装置２００は、基地局装置１００から移動局能力問い合わせ（UE Capability Enquiry）メッセージＭ１０１を無線リソース制御コネクションにおいて受信する。移動局装置２００は、算出された送信帯域隣接度値データが含まれる移動局能力情報（UE capability Information）メッセージＭ１０２を基地局装置１００へ送信する。
【０１４７】
移動局装置２００が送信帯域隣接度値を算出し、算出された送信帯域隣接度値を基地局装置１００へ送信する以外の第２の実施形態に従った無線通信システムによる無線リソース制御処理は、前述した第１の実施形態と同様であり得る。
【０１４８】
第２の実施形態の無線通信システムに従えば、前述した第１の実施形態の無線通信システムと同様の効果が得られる。また、第２の実施形態の無線通信システムに従えば、多数の移動局装置を接続対象とする基地局装置の処理負担を軽減することができ、ひいては、基地局装置の処理速度の向上や回路構成の複雑度の低減を実現できる。
【０１４９】
＜第３の実施形態＞
前述したように、第１の実施形態では、各移動局装置２００の送信帯域隣接度値を基地局装置１００が算出する。また、第２の実施形態では、各移動局装置２００は、自装置の送信帯域隣接度値を算出し、算出された送信帯域隣接度値を基地局装置１００へ送信する。
【０１５０】
一方、移動局装置２００の送信帯域隣接度値は、移動局装置２００の製造段階で、記憶装置２６０の移動局能力情報ファイル２６２に格納されるように構成することも可能である。また、移動局装置２００の運用開始後に、移動局能力情報ファイル２６２に格納された送信帯域隣接度値のデータが書き換えられるように構成することも可能である。
【０１５１】
第３の実施形態では、図１５に示すようなコンピュータ等の任意の計算処理装置が、移動局装置２００の移動局能力情報のデータを用いて、移動局装置２００の送信帯域隣接度値を算出する。算出に用いられる移動局能力情報のデータは、前述したような、当該移動局装置２００が対応可能なキャリアアグリゲーションのシナリオを示すデータである。
【０１５２】
図１５は、コンピュータの例示的なハードウェア構成図である。
図１５に示すように、コンピュータ５００は、プロセッサの一例であるCentral Processing Unit（ＣＰＵ）５０１、ＲＡＭ等の主記憶装置５０２、ハードディスクドライブ等の補助記憶装置５０３を含む。また、コンピュータ５００は、キーボードやマウス等の入力装置５０４、および液晶ディスプレイ等の表示装置５０５を含む。さらに、コンピュータ５００は、フラッシュメモリ等の可搬型記録媒体へデータを書き込み、可搬型記録媒体からデータを読み取る可搬型記録媒体読み書き装置５０６、およびインターネット等の通信ネットワークと接続する通信インタフェース５０７を含む。コンピュータ５００に含まれるこれらの構成要素５０１〜５０７は、バス５０８を介して相互に接続される。
【０１５３】
移動局装置２００の移動局能力情報のデータは、入力装置５０４を介して入力され得る。あるいは、ＣＰＵ５０１は、可搬型記録媒体読み書き装置５０６を介して、移動局装置２００の移動局能力情報のデータを含む可搬型記録媒体から移動局装置２００の移動局能力情報のデータを読み出し得る。入力ないし読み出された移動局能力情報のデータは、主記憶装置５０２に記憶される。ＣＰＵ５０１は、主記憶装置５０２に記憶された移動局能力情報のデータを用いて、図１１および図１２を参照しながら前述した実施形態に従った送信帯域隣接度値を算出する。算出された送信帯域隣接度値は、表示装置５０５に表示され得る。
【０１５４】
ＣＰＵ５０１により算出された送信帯域隣接度値のデータは、移動局能力情報のデータと共に、移動局能力情報ファイル２６２内に移動局装置２００の製造段階で記録され得る。
【０１５５】
また、ＣＰＵ５０１により算出された送信帯域隣接度値のデータは、可搬型記録媒体読み書き装置５０６を介して、移動局能力情報のデータと共に、フラッシュメモリといった可搬型記録媒体に記憶され得る。そして、制御部２１１は、可搬型記録媒体に記録されたデータを可搬型記録媒体読み取り装置２８０を介して読み出す。例えば、制御部２１１は、可搬型記録媒体に記録された移動局能力情報のデータおよび送信帯域隣接度値のデータを読み出す。制御部２１１は、読み出されたこれらのデータに移動局能力情報ファイル２６２内のデータを書き換える。
【０１５６】
第３の実施形態の無線通信システムに従えば、前述した第１の実施形態の無線通信システムと同様の効果が得られる。また、第３の実施形態の無線通信システムに従えば、基地局装置および移動局装置の処理負担を軽減することができ、ひいては、基地局装置および移動局装置の処理速度の向上や回路構成の複雑度の低減を実現できる。
【０１５７】
＜第４の実施形態＞
第１〜第３の実施形態では、送信帯域隣接度値は、移動局装置２００が対応可能なキャリアアグリゲーションのシナリオを示すデータに基づいて算出される。前述したように、移動局装置２００が対応可能なキャリアアグリゲーションのシナリオを示すデータには、同一周波数バンド内の連続したコンポーネントキャリアの割り当て、異なる周波数バンド間でのコンポーネントキャリアの割り当て、および同一周波数バンド内の不連続のコンポーネントキャリアの割り当てがそれぞれ可能か否かを示すデータが含まれる。
【０１５８】
これに対して、各移動局装置２００が有するコンポーネントキャリアの割り当て希望を送信帯域隣接度値に反映させることも可能である。
【０１５９】
第４の実施形態に従った無線通信システムでは、移動局装置２００は、コンポーネントキャリア割り当て希望情報を移動局能力情報（UE capability information）の一部として取得する。
【０１６０】
コンポーネントキャリア割り当て希望情報は、例えば、当該移動局装置２００が希望するコンポーネントキャリアの割り当て方針である。
【０１６１】
希望するコンポーネントキャリアの割り当て方針は、例えば、次のような分類によって２ビットのデータで表される。すなわち、「割り当て希望なし」を０とし、「同一周波数バンド内の複数のコンポーネントキャリアの割り当て希望」を１とする。また、「異なる周波数バンド間で複数のコンポーネントキャリアの割り当て希望」を２とし、「同一周波数バンド内の不連続のコンポーネントキャリアの割り当て希望」を３とする。
【０１６２】
また、希望する周波数バンドの組み合わせ、希望するコンポーネントキャリア、および希望するMultiple-Input and Multiple-Output（ＭＩＭＯ）ストリーム数がコンポーネントキャリア割り当て希望情報にさらに加えられてもよい。
【０１６３】
希望する周波数バンドの組み合わせは、予め用意された周波数バンドの組み合わせ数に従って、所定のビット数のデータで表され得る。例えば、予め用意された周波数バンドの各組み合わせに、対応する番号が予めふられる。予め用意された周波数バンドの組み合わせとふられた番号との対応関係は、移動局装置２００と基地局装置１００との間で予め共有される。そして、希望する周波数バンドの組み合わせに関するコンポーネントキャリア割り当て希望情報は、例えば、「組み合わせ希望無し」を０とし、各「希望する周波数バンドの組み合わせ」を、対応する番号とする。
【０１６４】
希望するコンポーネントキャリアは、移動局装置２００が対応可能なコンポーネントキャリア数に従って、所定のビット数のデータで表され得る。例えば、移動局装置２００が対応可能なすべてのコンポーネントキャリアに対して、低周波数バンドのコンポーネントキャリアから昇順に番号がふられる。コンポーネントキャリアとふられた番号との対応関係は、移動局装置２００と基地局装置１００との間で予め共有される。そして、希望するコンポーネントキャリアに関するコンポーネントキャリア割り当て希望情報は、「希望のコンポーネントキャリア無し」を０とし、それぞれの「希望のコンポーネントキャリア」を対応するふられた番号とする。
【０１６５】
希望するＭＩＭＯストリーム数は、移動局装置２００が有するアンテナ数に従って、所定のビット数のデータで表され得る。希望するＭＩＭＯストリーム数に関するコンポーネントキャリア割り当て希望情報は、例えば、「希望なし」を０とし、「希望するＭＩＭＯストリーム数」を希望する使用アンテナ数とする。
【０１６６】
移動局装置２００は、コンポーネントキャリア割り当て希望情報を基地局装置１００へ送信する。
【０１６７】
図１６は、コンポーネントキャリア割り当て希望情報の決定および送信処理の一例の説明図である。
【０１６８】
図１６に示すように、無線リソース制御コネクションにおいて、基地局装置１００は、無線リソース制御コネクション再構成（RRC Control Connection Reconfiguration）メッセージＭ２０１を移動局装置２００へ送信する。無線リソース制御コネクション再構成メッセージＭ２０１には、測定構成（Measurement Configuration）メッセージが含まれる。
【０１６９】
測定構成メッセージには、測定対象のコンポーネントキャリアの周波数を示す測定対象（measurement object）のリスト、および測定結果を基地局装置１００へ報告する時間を示す報告構成（reporting configurations）のリストが含まれる。また、無線リソース制御再構成メッセージには、基地局装置１００が割り当て可能なコンポーネントキャリアを低周波数バンドから昇順で番号付けされたリストが含まれる。これらのメッセージに含まれるデータは、記憶装置２６０に記憶される。
【０１７０】
移動局装置２００は、無線リソース制御再構成完了（RRC Connection Reconfiguration Complete）メッセージＭ２０２を基地局装置１００へ送信する。
【０１７１】
制御データ処理部２１３は、移動局装置２００の周囲に存在するセルの各コンポーネントキャリアの信号レベルを測定する。あるいは、制御データ処理部２１３は、測定構成メッセージに含まれる測定対象リストのコンポーネントキャリアの信号レベルを測定する。測定される信号レベルには、例えば、基準信号受信パワー（Reference Signal Received Power、RSRP）および基準信号受信品質（Reference Signal Received Quality、RSRQ）が挙げられる。
【０１７２】
制御部２１１は、測定された各コンポーネントの信号レベルを参照して、信号レベルが高いコンポーネントキャリアの組み合わせを、希望するコンポーネントキャリアの割り当て方針として決定する。また、制御部２１１は、測定された各コンポーネントの信号レベルの中で高い信号レベルを有するコンポーネントキャリアを、希望するコンポーネントキャリア（セコンダリコンポーネントキャリア）として決定する。
【０１７３】
移動局装置２００は、決定されたコンポーネントキャリア割り当て希望情報を含む無線品質測定報告（Measurement Report）メッセージＭ２０３を基地局装置１００へ送信する。
【０１７４】
基地局装置１００は、移動局装置２００より受信したコンポーネントキャリア割り当て希望情報が反映された送信帯域隣接度値を用いて、移動局装置２００に対するコンポーネントキャリアの割り当て制御を実行する。
【０１７５】
第４の実施形態に従った無線リソース割り当て制御の具体的な処理フローは、以下の処理が追加される点を除いて、図７〜図１４を参照しながら前述した第１の実施形態に従った無線リソース割り当て制御の処理フローと同様であり得る。
【０１７６】
ステップＳ１０５のプライマリコンポーネントキャリア決定処理では、チャネルの変動状況等に加えて、コンポーネントキャリア割り当て希望情報に示されるプライマリコンポーネントキャリアの割り当て希望に基づいて、プライマリコンポーネントキャリアが決定され得る。
【０１７７】
ステップＳ１０７の送信帯域隣接度値算出処理では、コンポーネントキャリア割り当て希望情報が反映された送信帯域隣接度値が算出される。
【０１７８】
具体的には、ステップＳ２０６において、移動局装置２００が対応可能なキャリアアグリゲーションのシナリオを示す隣接度データＡ、Ｂ、Ｃよりも上位に、コンポーネントキャリア割り当て希望情報の内容を反映した所定ビットの割り当て希望データＤが追加される。例えば、希望するコンポーネントキャリアの割り当て方針のみからコンポーネントキャリア割り当て希望情報が構成される場合、割り当て希望データＤは、前述した一例では２ビットである。
【０１７９】
ステップＳ１１１のコンポーネントキャリア割り当て処理では、コンポーネントキャリア割り当て希望情報が反映された送信帯域隣接度値に従って、セカンダリコンポーネントキャリアの割り当てが実行される。
【０１８０】
具体的には、ステップＳ３０２で送信帯域隣接度値が０よりも大きいと判定される場合（ステップＳ３０２で“ＹＥＳ”）、ステップＳ３０３以降の処理に先立って、割り当て希望データＤに示されるコンポーネントキャリアの割り当てが可能か否かが判定される。割り当て希望データＤに示されるコンポーネントキャリアの割り当てが可能な場合には、ステップＳ３１１に進み、割り当て希望データＤに示されるコンポーネントキャリアがセカンダリコンポーネントキャリアとして割り当てられる。割り当て希望データＤに示されるコンポーネントキャリアの割り当てが不可の場合には、ステップＳ３０３以降の処理に進み、隣接度地データＡ、Ｂ、およびＣに基づく割り当て処理が実行される。
【０１８１】
ステップＳ１１４のコンポーネントキャリア再割り当て処理では、割り当て不可移動局装置２００および割り当て済み移動局装置２００のそれぞれのコンポーネントキャリア割り当て希望情報に基づいて再割り当て処理が実行される。
【０１８２】
具体的には、第４の実施形態では、ステップＳ４０５の再割り当て判定処理に代えて、図１７に示すステップＳ４０５−１およびステップＳ４０５−２の再割り当て判定処理が実行される。
【０１８３】
図１７は、第４の実施形態に従った再割り当て判定処理フローの例図である。
ステップＳ４０５−１の第１の再割り当て判定処理において、まず、割り当て不可移動局装置２００のコンポーネントキャリア割り当て希望情報に示されるコンポーネントキャリアについて、再割り当て処理が可能か否かが判断される。すなわち、割り当て済み移動局装置２００のコンポーネントキャリア割り当て希望情報に合致する別の未割り当てのコンポーネントキャリアへ再割り当てが可能か否かが判断される。
【０１８４】
ステップＳ４０５−１で再割り当てが可能と判断される場合（ステップＳ４０５−１で“ＹＥＳ”）、ステップＳ４０７に処理は進む。ステップＳ４０７では、再割り当て可能と判断された未割り当てのコンポーネントキャリアが割り当て済み移動局装置２００の新たなセカンダリコンポーネントキャリアとして割り当てられる。そして、ステップＳ４０８において、ステップＳ４０７での処理により未割り当てになったコンポーネントキャリアが割り当て不可移動局装置２００に割り当てられる。すなわち、割り当て不可移動局装置２００のコンポーネントキャリア割り当て希望情報に示されるコンポーネントキャリアが割り当て不可移動局装置２００に割り当てられる。
【０１８５】
一方、ステップＳ４０５−１で再割り当てが不可と判断される場合（ステップＳ４０５−１で“ＮＯ”）、ステップＳ４０５−２の第２の再割り当て判定処理に進む。
【０１８６】
ステップＳ４０５−２では、コンポーネントキャリア割り当て希望情報に示されるコンポーネントキャリア以外で割り当て不可移動局装置２００が対応可能なコンポーネントキャリアについて、再割り当てが可能か否かが判断される。すなわち、割り当て済み移動局装置２００のコンポーネントキャリア割り当て希望情報に合致する別の未割り当てのコンポーネントキャリアへ再割り当てが可能か否かが判断される。
【０１８７】
ステップＳ４０５−２で再割り当てが可能と判断される場合（ステップＳ４０５−２で“ＹＥＳ”）、ステップＳ４０７に処理は進む。ステップＳ４０７では、再割り当て可能と判断された未割り当てのコンポーネントキャリアが割り当て済み移動局装置２００の新たなセカンダリコンポーネントキャリアとして割り当てられる。そして、ステップＳ４０８において、ステップＳ４０７の処理により未割り当てになったコンポーネントキャリアが割り当て不可移動局装置２００に割り当てられる。すなわち、コンポーネントキャリア割り当て希望情報に示されるコンポーネントキャリア以外で割り当て不可移動局装置２００が対応可能なコンポーネントキャリアが割り当て不可移動局装置２００に割り当てられる。
【０１８８】
第４の実施形態の無線通信システムに従えば、前述した第１の実施形態の無線通信システムと同様の効果が得られる。また、第４の実施形態の無線通信システムに従えば、基地局装置は、各移動局装置のコンポーネントキャリアの割り当て希望を反映して、無線リソースの割り当て制御を実行することができる。
【０１８９】
＜第５の実施形態＞
第４の実施形態に従った無線通信システムでは、基地局装置１００は、コンポーネントキャリア割り当て希望情報を移動局能力情報の一部として移動局装置２００から受信する。そして、基地局装置１００は、受信したコンポーネントキャリア割り当て情報が反映された送信帯域隣接度値を算出する。
【０１９０】
これに対して、コンポーネントキャリア割り当て希望情報が反映された送信帯域隣接度値を含む移動局能力情報を移動局装置２００が基地局装置１００へ送信するように構成することも可能である。
【０１９１】
第５の実施形態に従った無線通信システムでは、制御部２１１は、図１６を参照しながら前述したように、コンポーネントキャリア割り当て希望情報の情報内容を決定する。決定される情報内容は、例えば、希望するコンポーネントキャリアの割り当て方針である。そして、制御部２１１は、決定された情報内容が反映された送信帯域隣接度値を算出する。制御部２１１による算出処理は、第４の実施形態に従った無線リソース割り当て制御部１１１による算出処理と同様である。制御部２１１は、コンポーネントキャリア割り当て希望情報が反映された送信帯域隣接度値を含む移動局能力情報（UE capability information）メッセージを基地局装置１００へ送信する。
【０１９２】
第５の実施形態の無線通信システムに従えば、前述した第４の実施形態の無線通信システムと同様の効果が得られる。また、第５の実施形態の無線通信システムに従えば、コンポーネントキャリア希望情報を反映した送信帯域隣接度値を基地局装置が計算する処理負担を減らすことができる。すなわち、多数の移動局装置を接続対象とする基地局装置内の処理負担を軽減することができ、ひいては、基地局装置の処理速度の向上や回路構成の複雑度の低減を実現できる。
【０１９３】
＜第６の実施形態＞
上述した基地局装置１００および移動局装置２００により実行される第１〜第５の実施形態に従った無線リソース制御処理は、それらの装置内のコンピュータが実行することも可能である。すなわち、実施形態に従った無線リソース制御処理は、実施形態に従った無線リソース制御処理の手順を規定する無線リソース制御プログラムに従って動作する、基地局装置１００および移動局装置２００内の各コンピュータによっても実行可能である。
【０１９４】
基地局装置１００および移動局装置２００内に実装される各コンピュータのハードウェアの構成は、例えば、図１５に示したコンピュータと同様であり得る。
【０１９５】
実施形態に従った無線リソース制御プログラムは、磁気ディスク、光ディスク、および光磁気ディスク等の可搬型記録媒体に記録される。可搬型記録媒体に記録された無線リソース制御プログラムは、可搬型記録媒体読み書き装置５０６を介して読み取られ、補助記憶装置５０３にインストールされる。あるいは、実施形態に従った無線リソース制御プログラムは、他のコンピュータ装置（図示せず）に格納された無線リソース制御プログラムを通信インタフェース５０７を介してコンピュータ５００が取得することによって、補助記憶装置５０３にインストールされる。
【０１９６】
ＣＰＵ５０１は、無線リソース制御プログラムを補助記憶装置５０３から主記憶装置５０２に読み出して無線リソース制御プログラムを実行することによって、実施形態に従った無線リソース制御プログラムを実行する。
【０１９７】
第６の実施形態に従った無線通信システムによっても、前述した第１〜第５の実施形態に従った無線通信システムと同様の効果を得ることができる。
【図１】
0005915766.tif 000002
【図２】
0005915766.tif 000003
【図３】
0005915766.tif 000004
【図４】
0005915766.tif 000005
【図５】
0005915766.tif 000006
【図６】
0005915766.tif 000007
【図７】
0005915766.tif 000008
【図８】
0005915766.tif 000009
【図９】
0005915766.tif 000010
【図１０Ａ】
0005915766.tif 000011
【図１０Ｂ】
0005915766.tif 000012
【図１１】
0005915766.tif 000013
【図１２】
0005915766.tif 000014
【図１３】
0005915766.tif 000015
【図１４】
0005915766.tif 000016
【図１５】
0005915766.tif 000017
【図１６】
0005915766.tif 000018
【図１７】
0005915766.tif 000019